(57)【特許請求の範囲】
【請求項１】
物体側より像側へ順に、正のパワーの第１レンズ群と、負のパワーの第２レンズ群と、開口絞りと、１以上のレンズ群よりなる中間群と、正のパワーの最終レンズ群よりなり、ズーミングに際して各レンズ群が移動して隣り合うレンズ群同士の間隔が変化するズームレンズにおいて、
前記第１レンズ群のｄ線におけるパワーをφ１ｄ、Ｃ線におけるパワーをφ１Ｃ、ｇ線におけるパワーをφ１ｇ、
前記最終レンズ群のｄ線におけるパワーをφＬｄ、Ｃ線におけるパワーをφＬＣ、ｇ線におけるパワーをφＬｇ、ｄ線、Ｃ線、ｇ線の波長を各々λｄ、λＣ、λｇとし、
τｄ＝１／λｄ
τＣ＝１／λＣ
τｇ＝１／λｇ
とおくとき、
０．７＜｛（φ１ｇ−φ１ｄ）／（τｇ−τｄ）｝／｛（φ１ｄ−φ１Ｃ）／（τｄ−τＣ）｝＜１．３
０．６＜｛（φＬｇ−φＬｄ）／（τｇ−τｄ）｝／｛（φＬｄ−φＬＣ）／（τｄ−τＣ）｝＜１．５５
なる条件式を満足することを特徴とするズームレンズ。
【請求項２】
広角端における前記開口絞りから前記最終レンズ群の像側のレンズ面までの距離をＬｂ、広角端における前記開口絞りから前記最終レンズ群の物体側のレンズ面までの距離をＬａとするとき、
０．５＜Ｌａ／Ｌｂ＜０．８
なる条件式を満足すること特徴とする請求項１に記載のズームレンズ。
【請求項３】
前記第１レンズ群の焦点距離をｆ１、前記最終レンズ群の焦点距離をｆＬ、広角端における全系の焦点距離をｆｗとするとき、
３．５＜ｆ１／ｆｗ＜５．５
２＜ｆＬ／ｆｗ＜３
なる条件式を満足することを特徴とする請求項１又は２に記載のズームレンズ。
【請求項４】
前記最終レンズ群の広角端と望遠端における結像倍率を各々βＬＷ、βＬＴ、前記ズームレンズのズーム比をＺとするとき、
−３＜βＬＷ／βＬＴ＊Ｚ＜３
なる条件式を満足することを特徴とする請求項１乃至３のいずれか１項に記載のズームレンズ。
【請求項５】
物体側より像側へ順に、正のパワーの第１レンズ群と、負のパワーの第２レンズ群と、開口絞りと、正のパワーの第３レンズ群、負のパワーの第４レンズ群、正のパワーの第５レンズ群、負のパワーの第６レンズ群よりなり、ズーミングに際して各レンズ群が移動して隣り合うレンズ群同士の間隔が変化するズームレンズにおいて、
前記第１レンズ群のｄ線におけるパワーをφ１ｄ、Ｃ線におけるパワーをφ１Ｃ、ｇ線におけるパワーをφ１ｇ、
広角端において前記第５レンズ群と前記第６レンズ群を合成したときの合成レンズ群のｄ線におけるパワーをφ５６ｄ、Ｃ線におけるパワーをφ５６Ｃ、ｇ線におけるパワーをφ５６ｇ、ｄ線、Ｃ線、ｇ線の波長を各々λｄ、λＣ、λｇとし、
τｄ＝１／λｄ
τＣ＝１／λＣ
τｇ＝１／λｇ
とおくとき、
０．７＜｛（φ１ｇ−φ１ｄ）／（τｇ−τｄ）｝／｛（φ１ｄ−φ１Ｃ）／（τｄ−τＣ）｝＜１．３
０．６＜｛（φ５６ｇ−φ５６ｄ）／（τｇ−τｄ）｝／｛（φ５６ｄ−φ５６Ｃ）／（τｄ−τＣ）｝＜１．５５
なる条件式を満足することを特徴とするズームレンズ。
【請求項６】
広角端において前記開口絞りから前記第６レンズ群の像側のレンズ面までの距離をＬ５６ｂ、広角端において前記開口絞りから前記第５レンズ群の物体側のレンズ面までの距離をＬ５６ａとするとき、
０．５＜Ｌ５６ａ／Ｌ５６ｂ＜０．８
なる条件式を満足すること特徴とする請求項５に記載のズームレンズ。
【請求項７】
前記第１レンズ群の焦点距離をｆ１、広角端における前記合成レンズ群の焦点距離をｆ５６、広角端における全系の焦点距離をｆｗとするとき、
３．５＜ｆ１／ｆｗ＜５．５
２＜ｆ５６／ｆｗ＜３
なる条件式を満足することを特徴とする請求項５又は６に記載のズームレンズ。
【請求項８】
前記合成レンズ群の広角端と望遠端における結像倍率を各々β５６Ｗ、β５６Ｔ、前記ズームレンズのズーム比をＺとするとき、
−３＜β５６Ｗ／β５６Ｔ＊Ｚ＜３
なる条件式を満足することを特徴とする請求項５乃至７のいずれか１項に記載のズームレンズ。
【請求項９】
光電変換素子に像を形成することを特徴とする請求項１乃至８のいずれか１項に記載のズームレンズ。
【請求項１０】
請求項１乃至９のいずれか１項のズームレンズと、該ズームレンズによって形成された像を受光する固体撮像素子を有することを特徴とする撮像装置。
【発明の詳細な説明】
【技術分野】
【０００１】
本発明は、ズームレンズ及びそれを有する撮像装置に関し、特にデジタルカメラ、ビデオカメラ、ＴＶカメラ、監視用カメラ、銀塩写真用カメラなどに好適なものである。
【背景技術】
【０００２】
近年、デジタルカメラやビデオカメラなどの撮像装置に用いられている撮像素子は高画素化が進んでいる。このような撮像素子を備える撮像装置で用いる撮影レンズには、球面収差、コマ収差などの単色（単波長）収差の補正に加え、色収差も良好に補正された、高解像力で小型なズームレンズであることが要求されている。また、撮影領域の拡大のため、高ズーム比（高変倍比）であることが望まれている。
【０００３】
一般に高ズーム比化を図るために、望遠端のズーム位置での焦点距離をより長くすると、広角側のズーム位置では諸収差のうち倍率色収差が多く発生し、又望遠側のズーム位置では倍率色収差及び軸上色収差が多く発生してくる。このため、高ズーム比で望遠側の焦点距離の長い望遠型のズームレンズでは、１次の色消し（１次スペクトル）に加え、２次スペクトルが良好に補正されていることが望まれている。
【０００４】
高ズーム比のズームレンズとして、最も物体側に正の屈折力のレンズ群を配置した、所謂ポジティブリードタイプのズームレンズが知られている。ポジティブリードタイプのズームレンズとして第１レンズ群のレンズの材料に異常分散材料を使用し、色収差（２次スペクトル）を良好に補正したズームレンズが知られている（特許文献１）。特許文献１では物体側より順に、正、負、正、負、正の屈折力のレンズ群より成る５群構成のズームレンズにおいて第１レンズ群に異常分散性を有する材料より成るレンズを用いたズームレンズが開示されている。
【先行技術文献】
【特許文献】
【０００５】
【特許文献１】特開２００６−３４９９４７号公報
【発明の概要】
【発明が解決しようとする課題】
【０００６】
ポジティブリード型のズームレンズは全系の小型化を図りつつ、高ズーム比化を図ることが比較的容易である。しかしながらポジティブリード型のズームレンズにおいて、高ズーム比化を図ると広角端のズーム位置において倍率色収差、そして望遠側のズーム領域において軸上色収差の二次スペクトルが多く発生してくる。ポジティブリード型のズームレンズにおいて、高ズーム比化を図りつつ全ズーム範囲にわたり高い光学性能を得るには色収差を軽減することが重要になってくる。
【０００７】
色収差のうち、倍率色収差は軸外像高における波長による像倍率のずれであるために、瞳近軸光線が高い位置に入射するレンズで発生する。つまり開口絞りから離れた位置のレンズ群によるパワーの波長による差が、倍率色収差が発生する主な原因となる。従来では、開口絞りから光軸方向に離れた位置のレンズ群に異常部分分散のガラスやガラス以外の部材を用いて広角端と望遠端において倍率色収差が補正されるように構成していた。
【０００８】
たとえば、正のパワーを有するレンズ群を正レンズと負レンズで構成するとき、正レンズに低屈折率低分散の材料を用い、負レンズに高屈折率高分散の材料を用いていた。このとき一般に高屈折率高分散の材料は異常部分分散が大きいので、２波長において色収差を補正したときでも、他の波長では色収差が補正されない。そのため多くの場合、低屈折率低分散の材料に異常部分分散のある材料を用いて、波長以外の波長での色収差を抑制するようにしている。
【０００９】
特許文献１では異常部分分散のある低屈折率低分散の材料の換わりに、より異常部分分散の大きい材料（樹脂部材）を正レンズに用いて色収差を補正している。色収差や二次スペクトルを低減させるには、材料特性（アッベ数や部分分散比）を基に、ズームレンズを構成する各レンズ群の波長の差による屈折力を最適化することが重要になってくる。特に倍率色収差の補正に関して異常部分分散材料を用いたレンズ群の波長に対するレンズのパワー（焦点距離の逆数）の変化を適切に設定することが重要になってくる。
【００１０】
一般に異常部分分散の大きな材料は波長による屈折率の変化の非線形性が大きいために、全系において色収差が補正されていても、個々のレンズ群の波長によるパワーの変化に非線形性が残存してくる。とくに倍率色収差の発生に影響が大きい開口絞りから離れた位置のレンズ群の波長によるパワー変化の非線形性は広角端から望遠端へのズーミングに際して倍率色収差が大きく変化する。
【００１１】
例えば、ポジティブリード型のズームレンズでは正の屈折力の第１レンズ群と像側のレンズ群を適切に設定しないと全ズーム領域において倍率色収差を軽減するのが困難となる。この結果、全ズーム範囲にわたり高い光学性能を得るのが困難になってくる。
【００１２】
本発明は、ポジティブリード型のズームレンズにおいて、色収差を良好に補正し、ズーム全域で良好な光学特性が得られるズームレンズ及びそれを有する撮像装置の提供を目的とする。
【課題を解決するための手段】
【００１３】
本発明のズームレンズは、物体側より像側へ順に、正のパワーの第１レンズ群と、負のパワーの第２レンズ群と、開口絞りと、１以上のレンズ群よりなる中間群と、正のパワーの最終レンズ群よりなり、ズーミングに際して各レンズ群が移動して隣り合うレンズ群同士の間隔が変化するズームレンズにおいて、
前記第１レンズ群のｄ線におけるパワーをφ１ｄ、Ｃ線におけるパワーをφ１Ｃ、ｇ線におけるパワーをφ１ｇ、
前記最終レンズ群のｄ線におけるパワーをφＬｄ、Ｃ線におけるパワーをφＬＣ、ｇ線におけるパワーをφＬｇ、ｄ線、Ｃ線、ｇ線の波長を各々λｄ、λＣ、λｇとし、
τｄ＝１／λｄ
τＣ＝１／λＣ
τｇ＝１／λｇ
とおくとき、
０．７＜｛（φ１ｇ−φ１ｄ）／（τｇ−τｄ）｝／｛（φ１ｄ−φ１Ｃ）／（τｄ−τＣ）｝＜１．３
０．６＜｛（φＬｇ−φＬｄ）／（τｇ−τｄ）｝／｛（φＬｄ−φＬＣ）／（τｄ−τＣ）｝＜１．５５
なる条件式を満足することを特徴としている。
【００１４】
この他本発明のズームレンズは、物体側より像側へ順に、正のパワーの第１レンズ群と、負のパワーの第２レンズ群と、開口絞りと、正のパワーの第３レンズ群、負のパワーの第４レンズ群、正のパワーの第５レンズ群、負のパワーの第６レンズ群よりなり、ズーミングに際して各レンズ群が移動して隣り合うレンズ群同士の間隔が変化するズームレンズにおいて、
前記第１レンズ群のｄ線におけるパワーをφ１ｄ、Ｃ線におけるパワーをφ１Ｃ、ｇ線におけるパワーをφ１ｇ、
広角端において前記第５レンズ群と前記第６レンズ群を合成したときの合成レンズ群のｄ線におけるパワーをφ５６ｄ、Ｃ線におけるパワーをφ５６Ｃ、ｇ線におけるパワーをφ５６ｇ、ｄ線、Ｃ線、ｇ線の波長を各々λｄ、λＣ、λｇとし、
τｄ＝１／λｄ
τＣ＝１／λＣ
τｇ＝１／λｇ
とおくとき、
０．７＜｛（φ１ｇ−φ１ｄ）／（τｇ−τｄ）｝／｛（φ１ｄ−φ１Ｃ）／（τｄ−τＣ）｝＜１．３
０．６＜｛（φ５６ｇ−φ５６ｄ）／（τｇ−τｄ）｝／｛（φ５６ｄ−φ５６Ｃ）／（τｄ−τＣ）｝＜１．５５
なる条件式を満足することを特徴としている。
【発明の効果】
【００１５】
本発明によれば、ポジティブリード型のズームレンズにおいて、色収差を良好に補正し、ズーム全域で良好な光学特性が得られるズームレンズが得られる。
【図面の簡単な説明】
【００１６】
【図１】（Ａ）、（Ｂ）実施例１のズームレンズの広角端（短焦点距離端）と、望遠端（長焦点距離端）におけるレンズ断面図
【図２】（Ａ）、（Ｂ）  実施例１の広角端、望遠端における収差図
【図３】参考例１のズームレンズの広角端のレンズ断面図
【図４】（Ａ）、（Ｂ）  参考例１の広角端、望遠端における収差図
【図５】実施例２のズームレンズの広角端のレンズ断面図
【図６】（Ａ）、（Ｂ）  実施例２の広角端、望遠端における収差図
【図７】実施例３のズームレンズの広角端のレンズ断面図
【図８】（Ａ）、（Ｂ）  実施例３の広角端、望遠端における収差図
【図９】実施例４のズームレンズの広角端のレンズ断面図
【図１０】（Ａ）、（Ｂ）  実施例４の広角端、望遠端における収差図
【図１１】実施例５のズームレンズの広角端のレンズ断面図
【図１２】（Ａ）、（Ｂ）  実施例５の広角端、望遠端における収差図
【図１３】本発明の撮像装置の要部概略図
【発明を実施するための形態】
【００１７】
以下に本発明の好ましい実施の形態を、添付の図面に基づいて詳細に説明する。本発明のズームレンズは、物体側より像側へ順に、正のパワー（屈折力、焦点距離の逆数）の第１レンズ群と、負のパワーの第２レンズ群と、開口絞りと、１以上のレンズ群よりなる中間群と、正のパワーの最終レンズ群よりなる。そして、ズーミングに際して各レンズ群が移動して隣り合うレンズ群同士の間隔が変化する。
【００１８】
この他、本発明のズームレンズは、物体側より像側へ順に、正のパワーの第１レンズ群と、負のパワーの第２レンズ群と、開口絞りと、正のパワーの第３レンズ群、負のパワーの第４レンズ群、正のパワーの第５レンズ群、負のパワーの第６レンズ群よりなる。そしてズーミングに際して各レンズ群が移動して隣り合うレンズ群同士の間隔が変化する。
【００１９】
図１（Ａ），（Ｂ）は本発明の実施例１のズームレンズの広角端（短焦点距離端）と、望遠端（長焦点距離端）におけるレンズ断面図である。図２（Ａ），（Ｂ）はそれぞれ実施例１のズームレンズの広角端と望遠端における収差図である。図３は本発明の参考例１のズームレンズの広角端におけるレンズ断面図、図４（Ａ），（Ｂ）はそれぞれ参考例１のズームレンズの広角端と望遠端における収差図である。図５は本発明の実施例２のズームレンズの広角端におけるレンズ断面図、図６（Ａ），（Ｂ）はそれぞれ実施例２のズームレンズの広角端と望遠端における収差図である。
【００２０】
図７は本発明の実施例３のズームレンズの広角端におけるレンズ断面図、図８（Ａ），（Ｂ）はそれぞれ実施例３のズームレンズの広角端と望遠端における収差図である。図９は本発明の実施例４のズームレンズの広角端におけるレンズ断面図、図１０（Ａ），（Ｂ）はそれぞれ実施例４のズームレンズの広角端と望遠端における収差図である。図１１は本発明の実施例５ズームレンズの広角端におけるレンズ断面図、図１２（Ａ），（Ｂ）はそれぞれ実施例５のズームレンズの広角端と望遠端における収差図である。図１３は本発明の撮像装置の要部概略図である。
【００２１】
各実施例のズームレンズはビデオカメラやデジタルスチルカメラ、銀塩フィルムカメラ、ＴＶカメラなどの撮像装置に用いられる撮影レンズ系である。尚、各実施例のズームレンズは投射装置（プロジェクタ）用の投射光学系として用いることもできる。レンズ断面図において、左方が物体側（前方）で、右方が像側（後方）である。また、レンズ断面図において、ｉを物体側からのレンズ群の順番とすると、Ｌｉは第ｉレンズ群を示す。ＬＭは１以上のレンズ群よりなる中間群である。ＬＬは最終レンズ群である。ＬＣは２つのレンズ群よりなる合成レンズ群である。
【００２２】
ＳＰは開口絞りである。ＩＰは像面である。像面ＩＰは、ビデオカメラやデジタルカメラの撮影光学系としてズームレンズを使用する際には、ＣＣＤセンサやＣＭＯＳセンサなどの固体撮像素子（光電変換素子）の撮像面に相当する。銀塩フィルムカメラの撮影光学系としてズームレンズを使用する際には、フィルム面に相当する。矢印は広角端から望遠端へのズーミング（変倍）に際して、各レンズ群と開口絞りＳＰの移動軌跡を示している。Ｇ１乃至Ｇ４、Ｇ１５乃至Ｇ１８は各々レンズを示している。
【００２３】
収差図は球面収差、非点収差、歪曲、倍率色収差を示している。球面収差図において、実線はｄ線（波長５８７．６ｎｍ）、２点鎖線はｇ線（波長４３５．８ｎｍ）、１点鎖線はＣ線（波長６５６．３ｎｍ）、点線はＦ線（波長４８６．１ｎｍ）である。
【００２４】
非点収差図で実線と点線はｄ線におけるサジタル像面とメリディオナル像面である。歪曲収差はｄ線について示している。倍率色収差図において２点鎖線、１点鎖線、点線は各々ｇ線、Ｃ線、Ｆ線である。尚、以下の各実施例において広角端と望遠端は変倍用のレンズ群が機構上、光軸上を移動可能な範囲の両端に位置したときのズーム位置をいう。
【００２５】
次に実施例１、参考例１、実施例２乃至４について説明する。実施例１、参考例１、実施例２乃至４はいずれも、物体側から像側へ順に、正の屈折力の第１レンズ群Ｌ１、負の屈折力の第２レンズ群Ｌ２、１以上のレンズ群よりなる中間群ＬＭ、正の屈折力の最終レンズ群ＬＬを有するズームレンズである。そしてズーミングに際しては、各レンズ群の間隔が変化している。即ち、ズーミングに際して各レンズ群が移動して隣り合うレンズ群同士の間隔が変化する。中間群ＬＭは図１、図３、図５の実施例１、参考例１、実施例２では、正の屈折力の第３レンズ群Ｌ３と負の屈折力の第４レンズ群Ｌ４より構成されている。
【００２６】
中間群ＬＭは、図７の実施例３では正の屈折力の第３レンズ群Ｌ３、負の屈折力の第４レンズ群Ｌ４、負の屈折力の第５レンズ群Ｌ５より構成されている。中間群ＬＭは図９の実施例４では正の屈折力の第３レンズ群Ｌ３より構成されている。最終レンズ群ＬＬは実施例１、参考例１、実施例２では第５レンズ群Ｌ５、実施例３では第６レンズ群Ｌ６、実施例４では第４レンズ群Ｌ４が相当しており、各々開口絞りＳＰよりも像側に位置し、ズーミングに際して移動する。
【００２７】
実施例１、参考例１、実施例２乃至４において、第１レンズ群Ｌ１のｄ線におけるパワーをφ１ｄ、Ｃ線におけるパワーをφ１Ｃ、ｇ線におけるパワーをφ１ｇとする。最終レンズ群ＬＬのｄ線におけるパワーをφＬｄ、Ｃ線におけるパワーをφＬＣ、ｇ線におけるパワーをφＬｇとする。
【００２８】
ｄ線、Ｃ線、ｇ線の波長を各々λｄ、λＣ、λｇとし、
τｄ＝１／λｄ
τＣ＝１／λＣ
τｇ＝１／λｇ
とおく。
【００２９】
このとき、
０．７＜｛（φ１ｇ−φ１ｄ）／（τｇ−τｄ）｝／｛（φ１ｄ−φ１Ｃ）／（τｄ−τＣ）｝＜１．３      ・・・（１）
０．６＜｛（φＬｇ−φＬｄ）／（τｇ−τｄ）｝／｛（φＬｄ−φＬＣ）／（τｄ−τＣ）｝＜１．５５    ・・・（２）
なる条件式を満足している。
【００３０】
一般にレンズに用いられる光学ガラスやプラスチックなどの材料は、波長が短くなると屈折率が高くなる。一般に、色消し（色収差の補正）のために正レンズと負レンズを組み合わせたレンズ群としての合成パワーは材料の組合せとそれぞれのレンズのパワーの組合せによるため、一定とならない。
【００３１】
倍率色収差は開口絞りから離れた位置にあるレンズ群で多く発生する。このため実施例１、参考例１、実施例２乃至４のズームレンズでは、開口絞りから離れた位置にある第１レンズ群Ｌ１と、最終レンズ群ＬＬにおいて、各レンズ群の波長によるパワーの変化Δφが、波長が短くなるにしたがってパワーが強くなるように構成している。さらにパワーの変化を線形に近づけることにより第１レンズ群Ｌ１と最終レンズ群ＬＬの光軸から高い位置を透過（通過）する光の屈折角が、波長に対して一様に変化するようにしている。
【００３２】
負のパワーの第２レンズ群Ｌ２は、ズーミングに際しての収差変動を低減するために高屈折率、低分散の材料よりなるレンズを用いている。第２レンズ群Ｌ２では物体側のレンズが倍率色収差の発生に影響を強く及ぼすため、このレンズに高屈折率低分散の材料を用いている。これにより、部分分散が低くなり、このレンズの波長によるパワーの変化が波長が短くなるにしたがって強くなり、かつ線形となるようにしている。
【００３３】
広角端においては軸外像高の光線が各レンズ群に大きな角度で入射する。このとき第１レンズ群と最終レンズ群ＬＬの波長によるパワーの変化Δφ１、ΔφＬと負のパワーの第２レンズ群Ｌ２の波長による線形のパワー変化Δφ２で、倍率色収差を良好に補正している。
【００３４】
望遠端においては、第１レンズ群Ｌ１を透過する軸外像高の光線の入射高さが低くなるので、第１レンズ群Ｌ１から発生する倍率色収差は少ない。このため、第２レンズ群Ｌ２と最終レンズ群ＬＬとの波長によるパワーの変化が、望遠端においての倍率色収差の発生に影響する。第１レンズ群Ｌ１と最終レンズ群ＬＬの波長によるパワーの変化Δφ１、ΔφＬと負のパワーの第２レンズ群Ｌ２の波長による線形のパワー変化Δφ２で、倍率色収差を良好に補正している。
【００３５】
各実施例では色収差の補正としての波長にフラウンフォーファー線のｇ線（０．４３５８μｍ）、Ｆ線（０．４８６１μｍ）、ｄ線（０．５８７μｍ）、Ｃ線（０．６５６３μｍ）を用いている。
【００３６】
前述したように第１レンズ群Ｌ１のｄ線におけるパワーをφ１ｄ、Ｃ線におけるレンズ群のパワーをφ１Ｃ、ｇ線におけるレンズ群のパワーをφ１ｇとする。最終レンズ群ＬＬのｄ線におけるパワーをφＬｄ、Ｃ線におけるレンズ群のパワーをφＬＣ、ｇ線におけるレンズ群のパワーをφＬｇとする。このときにパワーΔφ１、ΔφＬの線形条件は条件式（１）、（２）のようになる。
【００３７】
倍率色収差を補正するためには、パワー変化の波長による線形性を条件式（１）、（２）を満足するのが望ましい。この範囲から外れると波長によるパワー変化の非線形性が強くなり、倍率色収差が大きく発生してくる。
【００３８】
ここで条件式（１）、（２）は、ｇ線とＣ線におけるパワーの変化率と、ｄ線とＣ線におけるパワーの変化率の比であり、次式（７）に表される。この比が３つの波長のパワー変化の線形性を表すものである。
Δφｊ＝｛（φｊｇ−φｊＣ）／（τｇ−τＣ）｝／｛（φｊｄ−φｊＣ）／（τｄ−τＣ）｝＝｛（φｊｇ−φｊＣ）／（φｊｄ−φｊＣ）｝＊｛（τｄ−τＣ）／（τｇ−τＣ）｝      ・・・・（７）
ここでτｄ、τＣ、τｇは波長λｄ、λＣ、λｇの逆数で
τｄ＝１／λｄ  ・・・・・・（８）
τＣ＝１／λＣ  ・・・・・・（９）
τｇ＝１／λｇ  ・・・・・・（１０）
である。
【００３９】
また、（７）式でｊはレンズ群の番号で、第１レンズ群Ｌ１をｊ＝１、最終レンズ群をｊ＝Ｌとして表している。それぞれの波長に対する屈折率をそれぞれＮｇ、ＮＦ、Ｎｄ，ＮＣとするとき、アッベ数νｄ、部分分散比θｇＦの定義は一般に用いられるものと同じである。
【００４０】
νｄ＝（Ｎｄ−１）／（ＮＦ−１）              ・・・・・・（１１）
θｇＦ＝（Ｎｇ−ＮＦ）／（ＮＦ−ＮＣ）        ・・・・・・（１２）
で表される。
【００４１】
各実施例では、第１レンズ群Ｌ１と最終レンズ群ＬＬに、部分分散比θｇＦが
−１．６２×１０−３・νｄ＋０．６５＜θｇＦ  ・・・・・・（１３）
を満足する材料を正のパワーのレンズと負のパワーのレンズに少なくとも１枚ずつ用いている。更に条件式（１）、（２）を満足しつつ部分分散比θｇＦが
０．６５＜θｇＦ                              ・・・・・・（１４）
を満足する材料を正のパワーのレンズとして用いている。これにより、非線形な負のパワーのレンズの波長によるパワー変化を、非線形な正のパワーのレンズの波長によるパワー変化で打ち消している。
【００４２】
このような材料を部材は本発明では異常部分分散性の高い有機複合物より得ている。ここで有機複合物とは、合成樹脂単体や合成樹脂の混合体、あるいは合成樹脂中に異常部分分散性の高い無機酸化物微粒子を分散させた混合体等を含む。
【００４３】
条件式（１４）を満足する材料としては、例えば次のものがある。また、一般の硝材とは異なる特性を持つ光学材料として、下記の無機酸化物ナノ微粒子を透明の合成樹脂中に分散させた混合体がある。
【００４４】
すなわち、ＴｉＯ2（Ｎｄ＝２．３０４，νｄ＝１３．８），Ｎｂ2Ｏ5（Ｎｄ＝２．３６７，νｄ＝１４．０），ＩＴＯ（Ｎｄ＝１．８５８１，νｄ＝５．５３）である。更にＣｒ2Ｏ3（Ｎｄ＝２．２１７８，νｄ＝１３．４），ＢａＴｉＯ3（Ｎｄ＝２．４３６２，νｄ＝１１．３）等がある。
【００４５】
これらの無機酸化物の中では、ＴｉＯ2（Ｎｄ＝２．３０４，νｄ＝１３．８，θｇＦ＝０．８７）微粒子を合成樹脂中に適切なる体積比で分散させた場合、上記条件式（１４）を満足する光学材料が得られる。
【００４６】
ＴｉＯ2は様々な用途で使われる材料であり、光学分野では反射防止膜などの光学薄膜を構成する蒸着用材料として用いられている。他にも光触媒、白色顔料などとして、またＴｉＯ2微粒子は化粧品材料として用いられている。各実施例において樹脂に分散させるＴｉＯ2微粒子の平均径は、散乱などの影響を考えると２ｎｍ〜５０ｎｍ程度がよく、凝集を抑えるために分散剤などを添加しても良い。
【００４７】
ＴｉＯ2を分散させる媒体材料としては、ポリマーが良く、成形型等を用いて光重合成形または熱重合成形することにより高い量産性を得ることができる。また、ポリマーの光学定数の特性としても、部分分散比が比較的大きいポリマー、あるいはアッベ数が比較的小さいポリマーか、両者を満たすポリマーが良く、Ｎ−ポリビニルカルバゾール、スチレン、ポリメタクリル酸メチル（アクリル）、などが適用できる。後述する実施例ではＴｉＯ2微粒子を分散させるホストポリマーとしてＵＶ硬化樹脂、Ｎ−ポリビニルカルバゾールを用いている。しかし、これに限定するものではない。
【００４８】
ナノ微粒子を分散させた混合体の分散特性Ｎ（λ）は、良く知られたＤｒｕｄｅの式から導きだされた次式によって簡単に計算することができる。即ち、波長λにおける屈折率Ｎ（λ）は、
Ｎ（λ）＝［１＋Ｖ｛ＮＴｉＯ2（λ）−１｝＋（１−Ｖ）｛ＮＰ2（λ）−１｝］1/
2
である。
【００４９】
ここで、λは任意の波長、ＮＴｉＯはＴｉＯ2の屈折率、ＮＰはポリマーの屈折率、Ｖはポリマー体積に対するＴｉＯ2微粒子の総体積の分率である。上記条件式（１４）を満足すれば無機酸化物微粒子に限定されず、例えば有機物であってもよい。
【００５０】
実施例１、参考例１、実施例２乃至４において更に好ましくは次の条件式のうち１以上を満足するのが良い。広角端において開口絞りＳＰから最終レンズ群ＬＬの像側のレンズ面までの距離をＬｂ、広角端において開口絞りＳＰから最終レンズ群ＬＬの物体側のレンズ面までの距離をＬａとする。
【００５１】
第１レンズ群Ｌ１の焦点距離をｆ１、最終レンズ群ＬＬの焦点距離をｆＬ、広角端における全系の焦点距離をｆｗとする。最終レンズ群ＬＬの広角端と望遠端における結像倍率を各々βＬＷ、βＬＴ、ズーム比をＺとする。ここでズーム比Ｚは望遠端における全系の焦点距離をｆｔとするとき、
Ｚ＝ｆｔ／ｆｗ
である。このとき、以下の条件式のうち１以上を満足するのが良い。
【００５２】
０．５＜Ｌａ／Ｌｂ＜０．８                ・・・・・・（３）
３．５＜ｆ１／ｆｗ＜５．５                ・・・・・・（４）
２＜ｆＬ／ｆｗ＜３                        ・・・・・・（５）
−３＜βＬＷ／βＬＴ＊Ｚ＜３              ・・・・・・（６）
実施例１、参考例１、実施例２乃至４において最終レンズ群ＬＬは、開口絞りＳＰよりも像側に位置し、ズーミングの際に移動する正のパワーよりなるレンズ群である。条件式（３）は開口絞りＳＰから最終レンズ群ＬＬの最も像側のレンズ面までの距離Ｌｂと、開口絞りＳＰから最終レンズ群ＬＬの物側のレンズ面までの距離Ｌａの比に関する。条件式（３）を満足するように最終レンズ群ＬＬを開口絞りＳＰから離して配置している。これにより、広角端と望遠端において倍率色収差を良好に補正している。
【００５３】
条件式（３）の下限値よりも小さいと最終レンズ群ＬＬが開口絞りＳＰに近すぎて最終レンズ群ＬＬによる倍率色収差の補正作用が弱まるので良くない。条件式（３）の上限値よりも大きくなると、レンズ全長が長くなってしまう。条件式（４）、（５）は、第１レンズ群Ｌ１の焦点距離ｆ１と最終レンズ群ＬＬの焦点距離ｆＬに関する。条件式（４）、（５）は、第１レンズ群Ｌ１の屈折作用の波長による差と最終レンズ群ＬＬの屈折作用の波長による差が第２レンズ群Ｌ２の波長による屈折作用の差で補正するためのものである。
【００５４】
条件式（４）、（５）の下限値よりも小さくなると第１レンズ群Ｌ１と最終レンズ群ＬＬのパワーが強くなりすぎて、第１レンズ群Ｌ１と最終レンズ群ＬＬのパワーも強くなるので、波長によるパワーの変化の線形性が崩れてしまう。条件式（４）、（５）の上限値よりも大きくなると全系が大きくなってくるので良くない。最終レンズ群ＬＬは、広角端と望遠端において倍率色収差を補正する光学作用を有している。
【００５５】
条件式（６）は最終レンズ群ＬＬにおける広角端での倍率βＬＷ、望遠端での倍率βＬＴ、ズーム比Ｚに関する。即ち条件式（６）は、ズームレンズの最も像側の最終レンズ群ＬＬの撮影倍率の比にズーム比をかけたものである。最終レンズ群ＬＬの倍率βは、近軸軸上光線の追跡においては、最終レンズ群ＬＬに入射する近軸軸上光線の入射角度αと射出角度α'の比（β＝α'／α）となる。
【００５６】
最終レンズ群ＬＬにおける広角端における倍率βＬｗと望遠端における倍率βＬｔの比は、
βＬｗ／βＬｔ＝（α'Ｌｗ／αＬｗ）／（α'Ｌｔ／αＬｔ）
＝（αＬｔ／αＬｗ）＊（α'Ｌｗ／α'Ｌｔ）    ・・・・（１５）
となる。
【００５７】
ズーム比は、望遠端のレンズ全系の近軸軸上光線の射出角α'ｔと広角端のレンズ全系の近軸軸上光線の射出角α'ｗの比となる。即ち、ズーム比Ｚは、
Ｚ＝α'ｔ／α'ｗ          ・・・・・・（１６）
となる。ここで、α'ｔ＝α'Ｌｔ、α'ｗ＝α'Ｌｗであるから式（１５）は
βＬｗ／βＬｔ＝（αＬｔ／αＬｗ）／Ｚ        ・・・・・・（１７）
となる。よって条件式（６）は
βＬＷ／βＬＴ＊Ｚ＝（αＬｔ／αＬｗ）        ・・・・・・（１８）
となる。
【００５８】
条件式（６）は最終レンズ群ＬＬにおける近軸軸上光線の入射角度の比（最終レンズ群よりも前方の光学系における近軸軸上光線の射出角度の比＝変倍比）を表していることになる。条件式（６）の上限値よりも大きくなると、または下限値よりも小さくなると、最終レンズ群ＬＬよりも物体側の光学系における変倍が大きすぎて、ズーミングに際しての収差変動が大きく、倍率色収差と他の諸収差を良好に補正するのが難しくなる。
【００５９】
実施例１は物体側より、像側へ順に正のパワー（屈折力）の第１レンズ群Ｌ１、負のパワーの第２レンズ群Ｌ２、開口絞りＳＰ、正のパワーの第３レンズ群Ｌ３、負のパワーの第４レンズ群Ｌ４、最終レンズ群ＬＬに相当する正のパワーの第５レンズ群Ｌ５からなる。無限遠物体から近距離物体に対するフォーカスは第２レンズ群Ｌ２を物体側に繰り出して行う。
【００６０】
第４レンズ群Ｌ４を光軸に対して垂直方向の成分を持つように移動して、像位置を変化させている。即ち手ぶれによる像のブレを補正している。第１レンズ群Ｌ１において、レンズＧ１、レンズＧ３、レンズＧ４が条件式（１３）を満足する材料よりなり、レンズＧ２が条件式（１３）と条件式（１４）を満足する材料よりなる。第５レンズ群Ｌ５において、レンズＧ１５、レンズＧ１６、レンズＧ１８が条件式（１３）を満足する材料よりなり、レンズＧ１７が条件式（１３）と条件式（１４）を満足する材料よりなる。
【００６１】
参考例１は物体側より、像側へ順に正のパワーの第１レンズ群Ｌ１、負のパワーの第２レンズ群Ｌ２、開口絞りＳＰ、正のパワーの第３レンズ群Ｌ３、負のパワーの第４レンズ群Ｌ４、最終レンズ群ＬＬに相当する正のパワーの第５レンズ群Ｌ５からなる。無限遠物体から近距離物体に対するフォーカスは第２レンズ群Ｌ２を物体側に繰り出して行う。
【００６２】
第４レンズ群Ｌ４は，前群４ａと後群４ｂよりなり、前群４ａを光軸に対して垂直方向の成分を持つように移動して、手ぶれによる像のブレを補正している。第１レンズ群Ｌ１において、レンズＧ１、レンズＧ３が条件式（１３）を満足する材料よりなり、レンズＧ２が条件式（１３）と条件式（１４）を満足する材料よりなる。第５レンズ群Ｌ５において、レンズＧ１８、レンズＧ２０が条件式（１３）を満足する材料よりなり、レンズＧ１９が条件式（３）と条件式（１４）を満足する材料よりなる。
【００６３】
実施例２は物体側より、像側へ順に、正のパワーの第１レンズ群Ｌ１、負のパワーの第２レンズ群Ｌ２、開口絞りＳＰ、正のパワーの第３レンズ群Ｌ３、負のパワーの第４レンズ群Ｌ４、最終レンズ群ＬＬに相当する正のパワーの第５レンズ群Ｌ５からなる。無限遠物体から近距離物体に対するフォーカスは第２レンズ群を物体側に繰り出して行う。第４レンズ群Ｌ４は，負のパワーの前群Ｌ４ａと後群Ｌ４ｂよりなり、前群４ａを光軸に対して垂直の成分を持つように移動して、手ぶれによる像のブレを補正している。
【００６４】
第１レンズ群Ｌ１において、レンズＧ１、レンズＧ３が条件式（１３）を満足する材料よりなり、レンズＧ２が条件式（１３）と条件式（１４）を満足する材料よりなる。第５レンズ群Ｌ５において、レンズＧ１６、レンズＧ１８が条件式（１３）を満足する材料よりなり、レンズＧ１７が条件式（１３）と条件式（１４）を満足する材料よりなる。
【００６５】
実施例３は物体側より、像側へ順に正のパワーの第１レンズ群Ｌ１、負のパワーの第２レンズ群Ｌ２、開口絞りＳＰ、正のパワーの第３レンズ群Ｌ３、負のパワーの第４レンズ群Ｌ４、負のパワーの第５レンズ群Ｌ５、正のパワーの第６レンズ群Ｌ６からなる。第６レンズ群Ｌ６が最終レンズ群ＬＬに相当する。無限遠物体から近距離物体に対するフォーカスは第２レンズ群Ｌ２を物体側に繰り出して行う。
【００６６】
第４レンズ群Ｌ４を光軸に対して垂直方向の成分を持つように移動して、手ぶれによる像のブレを補正している。第１レンズ群Ｌ１において、レンズＧ１、条件Ｇ３，条件Ｇ４が条件式（１３）を満足する材料よりなり、レンズＧ２が条件式（１３）と条件式（１４）を満足する材料よりなる。第６レンズ群Ｌ６において、レンズＧ１６、レンズＧ１７，レンズＧ１９が条件式（１３）を満足する材料よりなり、レンズＧ１８が条件式（１３）と条件式（１４）を満足する材料よりなる。
【００６７】
実施例４は物体側より、像側へ順に正のパワーの第１レンズ群Ｌ１、負のパワーの第２レンズ群Ｌ２、開口絞りＳＰ、正のパワーの第３レンズ群Ｌ３、最終レンズ群ＬＬに相当する正のパワーの第４レンズ群Ｌ４からなる。無限遠物体から近距離物体に対するフォーカスは第２レンズ群Ｌ２を物体側に繰り出して行う。第３レンズ群Ｌ３は、正のパワーの前群Ｌ３ｃと負のパワーの後群Ｌ３ｄからなり、後群Ｌ３ｄを光軸に対して垂直方向の成分を持つように移動して、手ぶれによる像のブレを補正している。
【００６８】
第１レンズ群Ｌ１において、レンズＧ１、レンズＧ３，レンズＧ４が条件式（１３）を満足する材料よりなり、レンズＧ２が条件式（１３）と条件式（１４）を満足する材料よりなる。第４レンズ群Ｌ４において、レンズＧ１５，レンズ１６、レンズＧ１８が条件式（１３）を満足する材料よりなり、レンズＧ１７が条件式（１３）と条件式（１４）を満足する材料よりなる。
【００６９】
次に図１１の実施例５について説明する。実施例５のズームレンズは次のレンズ構成よりなる。物体側より像側へ順に、正のパワーの第１レンズ群Ｌ１と、負のパワーの第２レンズ群Ｌ２と、開口絞りＳＰと、正のパワーの第３レンズ群Ｌ３、負のパワーの第４レンズ群Ｌ４、正のパワーの第５レンズ群Ｌ５、負のパワーの第６レンズ群Ｌ６よりなっている。そして各レンズ群を移動させてズーミングを行う。即ち、ズーミングに際して隣り合うレンズ群の間隔が変化する。
【００７０】
実施例５は中間レンズ群ＬＭが正の屈折力の第３レンズ群Ｌ３、負の屈折力の第４レンズ群Ｌ４から構成されている。正の屈折力の第５レンズ群Ｌ５と負の屈折力の第６レンズ群Ｌ６より合成レンズ群ＬＣを構成している。
【００７１】
図１１において矢印は広角端から望遠端へのズーミングに際しての各レンズ群と開口絞りＳＰの移動軌跡を示している。第５レンズ群Ｌ５と第６レンズ群Ｌ６はズーミングに際して互いに独立に移動している。
【００７２】
本実施例では広角端において第５レンズ群Ｌ５と第６レンズ群Ｌ６を合成した合成レンズ群ＬＣが実施例１、参考例１、実施例２乃至４における最終レンズ群ＬＬに相当している。そして合成レンズ群ＬＣの光学作用は実施例１、参考例１、実施例２乃至４における最終レンズ群ＬＬの光学作用と略同じである。実施例５において、第１レンズ群Ｌ１のｄ線におけるパワーをφ１ｄ、Ｃ線におけるパワーをφ１Ｃ、ｇ線におけるパワーをφ１ｇとする。
【００７３】
広角端において第５レンズ群Ｌ５と第６レンズ群Ｌ６を合成したときの合成レンズ群のｄ線におけるパワーをφ５６ｄ、Ｃ線におけるパワーをφ５６Ｃ、ｇ線におけるパワーをφ５６ｇとする。ｄ線、Ｃ線、ｇ線の波長を各々λｄ、λＣ、λｇとし、
τｄ＝１／λｄ
τＣ＝１／λＣ
τｇ＝１／λｇ
とおく。このとき、
０．７＜｛（φ１ｇ−φ１ｄ）／（τｇ−τｄ）｝／｛（φ１ｄ−φ１Ｃ）／（τｄ−τＣ）｝＜１．３              ・・・・（Ｘ１）
０．６＜｛（φ５６ｇ−φ５６ｄ）／（τｇ−τｄ）｝／｛（φ５６ｄ−φ５６Ｃ）／（τｄ−τＣ）｝＜１．５５    ・・・・（Ｘ２）
なる条件式を満足している。
【００７４】
ここで条件式（Ｘ１）、（Ｘ２）の技術的意味は、実施例１、参考例１、実施例２乃至４における条件式（１）、（２）と同じである。実施例５において好ましくは次の条件式のうち１以上を満足するのが良い。広角端において開口絞りＳＰから第６レンズ群Ｌ６の像側のレンズ面までの距離をＬ５６ｂ、広角端において開口絞りＳＰから第５レンズ群Ｌ５の物体側のレンズ面までの距離をＬ５６ａとする。第１レンズ群Ｌ１の焦点距離をｆ１、合成レンズ群ＬＣの焦点距離をｆ５６、広角端における全系の焦点距離をｆｗとする。
【００７５】
合成レンズ群ＬＣの広角端と望遠端における結像倍率を各々β５６Ｗ、β５６Ｔ、ズーム比をＺとする。このとき、以下の条件式のうち１以上を満足するのが良い。
【００７６】
０．５＜Ｌ５６ａ／Ｌ５６ｂ＜０．８        ・・・・（Ｘ３）
３．５＜ｆ１／ｆｗ＜５．５                ・・・・（Ｘ４）
２＜ｆ５６／ｆｗ＜３                      ・・・・（Ｘ５）
−３＜β５６Ｗ／β５６Ｔ＊Ｚ＜３          ・・・・（Ｘ６）
ここで（Ｘ３）乃至（Ｘ６）の技術的意味は実施例１、参考例１、実施例２乃至４における条件式（３）乃至（６）と同じである。
【００７７】
実施例５は物体側より、像側へ順に、正のパワーの第１レンズ群Ｌ１、負のパワーの第２レンズ群Ｌ２、開口絞りＳＰ、正のパワーの第３レンズ群Ｌ３、負のパワーの第４レンズ群Ｌ４、正のパワーの第５レンズ群Ｌ５、負のパワーの第６レンズ群Ｌ６からなる。無限遠物体から近距離物体に対するフォーカスは第２レンズ群Ｌ２を物体側に繰り出して行う。
【００７８】
第４レンズ群Ｌ４を光軸に対して垂直方向の成分を持つように移動して、手ぶれによる像のブレを補正している。第１レンズ群Ｌ１において、レンズＧ１、レンズＧ３が条件式（１３）を満足する材料よりなり、レンズＧ２が条件式（１３）と条件式（１４）を満足する材料よりなる。合成レンズ群ＬＣにおいて、レンズＧ１５、レンズＧ１６，レンズＧ１８が条件式（１３）を満足する部材で、レンズＧ１７が条件式（１３）と条件式（１４）を満足する材料よりなる。
【００７９】
次に各実施例における条件式（１３）、（１４）を満足するレンズとの対応関係を表１に示す。
【００８０】
【表１】
0005743771.tif 000002
図１３は各実施例のズームレンズを用いたデジタルスチルカメラの要部概略図である。図１３において、２０はカメラ本体、２１は各実施例で説明したいずれかのズームレンズによって構成された撮影光学系である。２２はカメラ本体２０に内蔵され、撮影光学系２１によって形成された被写体像を受光するＣＣＤセンサやＣＭＯＳセンサ等の固体撮像素子（光電変換素子）である。
【００８１】
以下、実施例１、参考例１、実施例２乃至５に対応する数値実施例１〜６の具体的数値データを示す。各数値実施例において、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。非球面形状は光軸方向にＸ軸、光軸と垂直方向にＨ軸、光の進行方向を正としＲを近軸曲率半径、Ｋを円錐定数、Ａ４〜Ａ１２を各々非球面係数としたとき
【００８２】
【数１】
0005743771.tif 000003
【００８３】
なる式で表している。*は非球面形状を有する面を意味している。「ｅ−ｘ」は１０-xを意味している。ＢＦは空気換算のバックフォーカスである。また、前述の各条件式と数値実施例との関係を表２に示す。
【００８４】
数値実施例１
単位 mm
面データ
面番号       r        d      nd         νd       有効径
1         76.839    1.40   1.84666    23.8       49.63
2         48.643    0.88   1.54731    23.9       47.86
3         55.844    5.47   1.59240    68.3       47.87
4        330.948    0.10                         47.50
5         50.141    5.07   1.50670    70.5       44.97
6        205.507  (可変)                         44.31
7         62.040    1.80   1.75500    52.3       26.71
8         12.718    6.10                         19.26
9        -61.133    1.00   1.75500    52.3       18.13
10         26.781    1.92                         16.84
11         19.740    2.88   1.80100    35.0       16.26
12        -60.671    0.54                         15.95
13        -29.809    1.00   1.49700    81.5       15.98
14         27.162  (可変)                         14.25
15(絞り)    ∞     (可変)                         10.42
16         19.954    0.80   1.83481    42.7       11.11
17         11.996    2.30   1.60342    38.0       10.93
18         90.595    0.10                         10.92
19         29.637    2.39   1.49700    81.5       10.94
20        -20.636    0.90   1.84666    23.8       10.84
21        -37.266  (可変)                         10.88
22        -43.800    1.84   1.83481    42.7       11.03
23        -14.446    0.80   1.72916    54.7       11.33
24        243.190  (可変)                         11.86
25*        98.328    3.08   1.56907    71.3       16.50
26*       -44.179    1.50                         16.78
27        -30.826    4.31   1.56907    71.3       16.98
28        -11.220    1.00   1.54731    23.9       17.47
29        -10.094    2.10   1.72825    28.5       17.51
30        -19.304  (可変)                         20.09
非球面データ
第25面
K = 8.04517e+001  A 4=-2.18991e-006  A 6= 3.05389e-007  A 8=-2.19777e-009  A10= 7.21054e-011  A12=-8.53138e-014
第26面
K =-8.06363e+000  A 4= 1.79796e-005  A 6= 1.55779e-007  A 8= 3.37703e-009  A10=-3.98139e-011  A12= 6.91795e-013
各種データ
ズーム比      4.70
広角     中間     望遠
焦点距離      17.55    37.33    82.48 
Fナンバー      3.98     5.06     5.64
画角          37.89    20.10     9.40 
像高          13.66    13.66    13.66 
レンズ全長   119.65   134.85   156.62 
BF            37.59    52.48    62.64 
d 6            1.01    16.23    36.82 
d14           20.06     9.64     2.91 
d15            2.15     0.10     0.10 
d21            1.50     2.88     1.78 
d24            8.06     4.25     3.10 
d30           37.59    52.48    62.64 
入射瞳位置    27.90    57.30   136.90 
射出瞳位置   -54.41   -36.17   -30.13 
前側主点位置  42.10    78.91   146.05 
後側主点位置  20.04    15.15   -19.84 
ズームレンズ群データ
群  始面    焦点距離  レンズ構成長  前側主点位置  後側主点位置
1    6      86.99        12.92         1.49         -6.74
2   14     -13.69        15.24         3.28         -8.17
3   15       ∞           0.00         0.00          0.00
4   21      26.71         6.49         1.19         -3.02
5   24     -68.13         2.64        -0.20         -1.67
6   30      44.93        11.99         7.38         -1.14
単レンズデータ
レンズ  始面  焦点距離
1       1   -160.21
2       2    660.57
3       3    112.57
4       5    129.47
5       7    -21.53
6       9    -24.55
7      11     18.89
8      13    -28.43
9      16    -37.76
10      17     22.67
11      19     24.87
12      20    -56.01
13      22     25.11
14      23    -18.68
15      25     53.99
16      27     28.71
17      28    139.88
18      29    -32.14
【００８５】
数値実施例２
単位 mm
面データ
面番号       r        d      nd         νd       有効径
1         76.305    1.40   1.80518    25.4       52.16
2         47.089    0.81   1.54731    23.9       50.10
3         53.025    6.09   1.59240    68.3       50.14
4        254.786    0.10                         49.73
5         47.991    5.69   1.48749    70.2       46.95
6        185.015  (可変)                         46.22
7         48.926    1.20   1.83481    42.7       25.62
8         13.224    6.28                         19.61
9        -57.594    1.00   1.75500    52.3       18.25
10         27.511    3.40                         16.97
11         21.876    2.81   1.80000    29.8       16.09
12        -53.979    0.44                         15.75
13        -31.286    1.00   1.61800    63.3       15.74
14         34.068  (可変)                         14.46
15(絞り)    ∞     (可変)                         11.60
16         27.712    0.80   1.80400    46.6       11.79
17         12.924    2.64   1.54814    45.8       11.80
18       -673.618    0.10                         12.01
19         22.012    2.62   1.49700    81.5       12.29
20        -19.375    0.10   1.54731    23.9       12.28
21        -24.976    0.90   1.61293    37.0       12.28
22        -40.859  (可変)                         12.31
23        -44.007    1.86   1.85026    32.3       12.02
24        -14.864    0.80   1.74400    44.8       12.07
25        936.220    2.73                         12.06
26         73.496    1.20   1.80518    25.4       12.71
27         53.933  (可変)                         12.88
28*      -421.610    3.11   1.58313    59.4       14.97
29*       -26.148    1.84                         15.52
30        -30.722    2.87   1.56907    71.3       15.85
31        -11.658    1.00   1.54731    23.9       16.07
32         -9.934    2.10   1.75520    27.5       16.09
33        -21.236  (可変)                         18.27
非球面データ
第28面
K =-3.92332e+003  A 4=-1.59157e-005  A 6= 3.15193e-007  A 8= 2.47661e-009  A10= 1.69239e-011  A12= 3.98288e-013
第29面
K = 9.25466e-003  A 4=-1.19571e-006  A 6= 1.62658e-008  A 8= 6.28112e-009  A10=-7.75669e-011  A12= 1.03629e-012
各種データ
ズーム比      4.70
広角     中間     望遠
焦点距離      17.55    37.33    82.48 
Fナンバー      3.97     5.07     5.74
画角          37.89    20.10     9.40 
像高          13.66    13.66    13.66 
レンズ全長   122.90   139.18   166.35 
BF            37.82    56.26    68.41 
d 6            0.92    14.04    36.88 
d14           21.21     8.59     3.12 
d15            0.10     0.27     0.10 
d22            1.50     3.12     2.03 
d27            6.46     2.01     0.92 
d33           37.82    56.26    68.41 
入射瞳位置    28.26    51.72   136.37 
射出瞳位置   -44.24   -34.93   -29.61 
前側主点位置  42.05    73.77   149.45 
後側主点位置  20.27    18.92   -14.07 
ズームレンズ群データ
群  始面    焦点距離  レンズ構成長  前側主点位置  後側主点位置
1    6      89.94        14.08         1.32         -7.71
2   14     -12.83        16.13         3.05         -9.44
3   15       ∞           0.00         0.00          0.00
4   22      24.49         7.16         2.24         -2.54
5   27     -58.57         6.59         1.17         -3.56
6   33      51.20        10.92         6.43         -1.37
単レンズデータ
レンズ  始面  焦点距離
1       1   -156.08
2       2    733.18
3       3    111.78
4       5    131.14
5       7    -22.05
6       9    -24.54
7      11     19.78
8      13    -26.24
9      16    -30.87
10      17     23.17
11      19     21.18
12      20   -158.87
13      21   -107.13
14      23     25.65
15      24    -19.66
16      26   -258.73
17      28     47.67
18      30     31.31
19      31    101.82
20      32    -26.86
【００８６】
数値実施例３
単位 mm
面データ
面番号       r        d      nd         νd       有効径
1         77.015    2.00   1.80518    25.4       47.61
2         41.909    0.91   1.54731    23.9       43.05
3         47.078    5.70   1.59240    68.3       42.99
4        425.384    0.10                         42.61
5         40.439    5.06   1.60300    65.4       40.03
6        152.262  (可変)                         39.25
7         61.722    1.50   1.78800    47.4       25.37
8         12.080    6.04                         18.14
9        -46.364    1.00   1.75500    52.3       16.62
10         23.337    1.69                         15.30
11         19.766    2.89   1.80000    29.8       14.84
12        -35.392    0.32                         14.52
13        -25.205    1.00   1.67790    55.3       14.50
14         44.739  (可変)                         13.29
15(絞り)    ∞     (可変)                         10.61
16         19.320    0.80   1.83481    42.7       11.03
17         11.585    2.55   1.56732    42.8       10.85
18       3116.199    0.10                         10.88
19         46.447    2.26   1.60738    56.8       10.90
20        -19.945    0.90   1.84666    23.8       10.82
21        -43.002  (可変)                         10.91
22        -41.567    1.69   1.84666    23.9       10.79
23        -14.808    0.80   1.73800    32.3       10.88
24        509.757  (可変)                         11.17
25*        88.614    2.68   1.58913    61.1       16.43
26*      -116.846    1.50                         16.58
27        -71.373    4.85   1.56907    71.3       16.92
28        -11.251    1.14   1.54731    23.9       17.32
29         -9.909    2.10   1.75520    27.5       17.35
30        -20.017  (可変)                         19.93
非球面データ
第25面
K = 4.89670e+001  A 4= 2.32311e-005  A 6= 3.64777e-007  A 8= 1.70085e-010  A10= 5.68313e-011  A12= 2.25785e-015
第26面
K =-1.03911e+002  A 4= 3.28452e-005  A 6= 1.38019e-007  A 8= 6.09950e-009  A10=-7.29894e-011  A12= 9.76612e-013
各種データ
ズーム比      4.71
広角     中間     望遠
焦点距離      17.55    37.35    82.57 
Fナンバー      3.99     5.00     5.69
画角          37.90    20.09     9.39 
像高          13.66    13.66    13.66 
レンズ全長   117.69   131.26   148.80 
BF            38.13    53.22    64.65 
d 6            0.82    12.64    27.49 
d14           18.30     8.75     2.47 
d15            0.97     0.10     0.10 
d21            1.50     3.30     1.50 
d24            8.39     3.66     3.00 
d30           38.13    53.22    64.65 
入射瞳位置    26.98    52.09   114.14 
射出瞳位置   -50.94   -35.65   -29.40 
前側主点位置  41.07    73.75   124.22 
後側主点位置  20.58    15.87   -17.92 
ズームレンズ群データ
群  始面    焦点距離  レンズ構成長  前側主点位置  後側主点位置
1    6      67.64        13.78         2.36         -6.20
2   14     -11.56        14.45         3.03         -7.74
3   15       ∞           0.00         0.00          0.00
4   21      25.34         6.60         1.40         -2.81
5   24     -69.55         2.49        -0.33         -1.71
6   30      44.67        12.27         7.40         -1.24
単レンズデータ
レンズ  始面  焦点距離
1       1   -117.16
2       2    656.34
3       3     88.86
4       5     89.79
5       7    -19.32
6       9    -20.43
7      11     16.23
8      13    -23.65
9      16    -36.37
10      17     20.49
11      19     23.27
12      20    -44.73
13      22     26.41
14      23    -19.49
15      25     85.96
16      27     22.80
17      28    116.60
18      29    -28.53
【００８７】
数値実施例４
単位 mm
面データ
面番号       r        d      nd         νd       有効径
1         81.445    1.40   1.83917    23.9       48.91
2         47.646    1.00   1.54731    23.9       47.08
3         55.170    5.78   1.59240    68.3       47.06
4        557.902    0.10                         46.69
5         43.479    5.39   1.56907    71.3       43.65
6        155.946  (可変)                         42.89
7         59.468    1.20   1.75500    52.3       25.14
8         12.037    6.12                         18.35
9        -52.698    1.00   1.75500    52.3       16.85
10         26.222    1.35                         15.56
11         19.001    2.94   1.67270    32.1       14.99
12        -38.381    0.45                         14.61
13        -23.851    1.00   1.49700    81.5       14.59
14         39.406  (可変)                         13.16
15(絞り)    ∞     (可変)                         10.02
16         23.478    0.80   1.83481    42.7       11.03
17         12.582    2.44   1.59551    39.2       10.91
18        153.755    0.10                         11.02
19         27.468    2.74   1.49700    81.5       11.42
20        -18.939    0.90   1.84666    23.8       11.76
21        -30.368  (可変)                         12.18
22        -27.086    1.59   1.81600    46.6       12.58
23        -16.542    0.80   1.49700    81.5       12.96
24        131.503  (可変)                         13.60
25        285.526    1.20   1.48749    70.2       14.96
26         64.011  (可変)                         15.47
27*        57.971    5.16   1.49700    81.5       19.21
28*       -21.520    1.50                         19.81
29        -24.941    3.94   1.56907    71.3       19.67
30        -13.067    1.59   1.54731    23.9       20.00
31        -11.231    2.10   1.75520    27.5       20.03
32        -21.998  (可変)                         22.88
非球面データ
第27面
K =-6.87781e-001  A 4=-1.95512e-005  A 6=-3.45086e-008  A 8= 1.66578e-009  A10=-1.69386e-011  A12= 1.17244e-013
第28面
K = 2.36707e-001  A 4= 2.40611e-006  A 6=-8.69641e-008  A 8= 1.14722e-009  A10=-1.64635e-011  A12= 9.15261e-014
各種データ
ズーム比      4.70
広角     中間     望遠
焦点距離      17.55    37.33    82.48 
Fナンバー      3.99     5.29     5.88
画角          37.89    20.10     9.40 
像高          13.66    13.66    13.66 
レンズ全長   122.46   136.76   155.38 
BF            38.12    53.69    63.52 
d 6            0.95    13.76    31.24 
d14           17.35     9.35     3.05 
d15            3.42     0.10     0.10 
d21            1.50     2.43     1.50 
d24            2.90     3.63     2.88 
d26            5.64     1.22     0.50 
d32           38.12    53.69    63.52 
入射瞳位置    26.94    53.16   124.43 
射出瞳位置   -78.26   -42.34   -35.05 
前側主点位置  41.85    75.98   137.89 
後側主点位置  20.56    16.35   -18.96 
ズームレンズ群データ
群  始面    焦点距離  レンズ構成長  前側主点位置  後側主点位置
1    6      74.76        13.67         2.09         -6.48
2   14     -12.49        14.07         2.88         -7.79
3   15       ∞           0.00         0.00          0.00
4   21      25.81         6.98         1.87         -2.71
5   24     -70.25         2.39        -0.81         -2.24
6   26    -169.55         1.20         1.04          0.23
7   32      38.99        14.28         6.39         -4.15
単レンズデータ
レンズ  始面  焦点距離
1       1   -139.45
2       2    609.65
3       3    102.91
4       5    104.13
5       7    -20.21
6       9    -23.07
7      11     19.29
8      13    -29.74
9      16    -33.60
10      17     22.86
11      19     23.01
12      20    -61.66
13      22     48.78
14      23    -29.51
15      25   -169.55
16      27     32.27
17      29     43.05
18      30    111.84
19      31    -33.17
【００８８】
数値実施例５
単位 mm
面データ
面番号       r        d      nd         νd       有効径
1         85.218    1.40   1.84666    23.9       52.75
2         49.948    1.00   1.54731    23.9       50.74
3         58.267    6.02   1.59240    68.3       50.78
4        424.827    0.10                         50.37
5         46.138    5.88   1.56907    71.3       47.33
6        169.324  (可変)                         46.52
7         47.147    1.20   1.75500    52.3       24.33
8         11.465    6.10                         17.79
9        -55.886    1.00   1.75500    52.3       16.26
10         22.102    0.67                         14.83
11         17.019    2.83   1.69895    30.1       14.51
12        -49.549    0.64                         14.14
13        -22.939    1.00   1.49700    81.5       14.12
14         41.955  (可変)                         12.80
15(絞り)    ∞     (可変)                          9.95
16         17.706    0.80   1.80440    39.6       10.94
17         11.180    2.64   1.57501    41.5       10.74
18        -76.800    0.10                         10.74
19         69.926    2.12   1.49700    81.5       10.89
20        -22.229    0.90   1.84666    23.8       11.17
21        -56.716    1.50                         11.55
22        -30.588    1.66   1.83481    42.7       11.99
23        -15.803    0.80   1.60300    65.4       12.39
24        260.307  (可変)                         13.11
25*        57.276    3.63   1.49700    81.5       18.17
26*       -50.469    1.78                         18.43
27        -43.794    4.91   1.56907    71.3       18.66
28        -12.081    1.56   1.54731    23.9       19.05
29        -10.531    2.10   1.72825    28.5       19.08
30        -20.578  (可変)                         22.08
非球面データ
第25面
K = 8.94041e+000  A 4=-2.20902e-006  A 6= 1.28420e-007  A 8= 1.18931e-009  A10=-5.42313e-012  A12= 2.12501e-013
第26面
K =-1.52757e+001  A 4= 1.28340e-005  A 6= 4.50361e-008  A 8= 2.74933e-009  A10=-4.16830e-011  A12= 3.80410e-013
各種データ
ズーム比      4.70
広角     中間     望遠
焦点距離      17.55    37.33    82.48 
Fナンバー      4.04     5.08     5.86
画角          39.98    20.10     9.40 
像高          14.72    13.66    13.66 
レンズ全長   118.12   137.10   158.53 
BF            38.13    52.35    64.49 
d 6            0.75    17.96    34.86 
d14           16.66     9.55     3.64 
d15            2.34     0.10     0.10 
d24            7.90     4.81     3.10 
d30           38.13    52.35    64.49 
入射瞳位置    26.63    63.77   136.47 
射出瞳位置   -65.19   -39.52   -33.77 
前側主点位置  41.21    85.93   149.71 
後側主点位置  20.57    15.02   -17.99 
ズームレンズ群データ
群  始面    焦点距離  レンズ構成長  前側主点位置  後側主点位置
1    6      81.24        14.40         2.03         -6.99
2   14     -11.84        13.44         3.30         -6.60
3   15       ∞           0.00         0.00          0.00
4   24      38.68        10.52        -1.73         -8.46
5   30      40.34        13.98         7.51         -2.84
単レンズデータ
レンズ  始面  焦点距離
1       1   -145.18
2       2    613.17
3       3    113.30
4       5    109.54
5       7    -20.36
6       9    -20.86
7      11     18.45
8      13    -29.69
9      16    -39.89
10      17     17.16
11      19     34.20
12      20    -43.70
13      22     37.26
14      23    -24.68
15      25     54.59
16      27     27.76
17      28    110.68
18      29    -32.48
【００８９】
数値実施例６
単位 mm
面データ
面番号       r        d      nd         νd       有効径
1         79.351    1.40   1.84666    23.9       47.89
2         43.480    1.00   1.54731    23.9       45.51
3         50.432    5.62   1.59240    68.3       45.51
4        318.397    0.10                         45.15
5         40.783    5.34   1.65160    58.5       42.57
6        131.317  (可変)                         41.79
7         48.023    1.20   1.75500    52.3       23.99
8         11.861    5.88                         17.75
9        -47.509    1.00   1.75500    52.3       16.12
10         24.286    2.56                         14.76
11         21.156    2.58   1.73800    32.3       13.81
12        -31.849    0.22                         13.46
13        -24.721    1.00   1.65160    58.5       13.44
14         47.313  (可変)                         12.32
15(絞り)    ∞     (可変)                         10.19
16         33.073    0.80   1.83481    42.7       11.48
17         12.868    2.66   1.58144    40.8       11.51
18       -595.380    0.10                         11.77
19         24.962    2.94   1.49700    81.5       12.05
20        -18.794    0.90   1.80518    25.4       12.10
21        -28.292  (可変)                         12.33
22        -46.966    1.78   1.83400    37.2       12.89
23        -16.808    0.80   1.69680    55.5       13.16
24        164.791  (可変)                         13.75
25*       504.710    5.01   1.56907    71.3       19.25
26*       -17.966  (可変)                         19.89
27        -22.605    3.36   1.56907    71.3       19.34
28        -13.440    1.19   1.54731    23.9       19.59
29        -11.678    2.10   1.75520    27.5       19.60
30        -26.705  (可変)                         21.92
非球面データ
第25面
K = 2.44321e+001  A 4=-1.42978e-005  A 6=-5.94358e-008  A 8= 1.36490e-009  A10=-3.26062e-012  A12=-1.88919e-015
第26面
K = 1.58556e-001  A 4= 3.88172e-006  A 6=-4.21430e-008  A 8= 3.27840e-010  A10= 4.40388e-012  A12=-2.62105e-014
各種データ
ズーム比      4.70
広角     中間     望遠
焦点距離      17.55    37.33    82.48 
Fナンバー      3.98     5.24     5.98
画角          37.89    20.10     9.40 
像高          13.66    13.66    13.66 
レンズ全長   123.72   136.11   153.58 
BF            38.15    52.47    61.70 
d 6            0.93    13.49    29.91 
d14           16.85     8.75     3.10 
d15            4.36     0.80     0.10 
d21            1.50     3.94     4.19 
d24           10.87     5.26     3.10 
d26            1.50     1.85     1.93 
d30           38.15    52.47    61.70 
入射瞳位置    26.44    52.65   122.00 
射出瞳位置   -75.03   -41.14   -33.69 
前側主点位置  41.27    75.09   133.15 
後側主点位置  20.60    15.13   -20.78 
ズームレンズ群データ
群  始面    焦点距離  レンズ構成長  前側主点位置  後側主点位置
1    6      71.82        13.46         1.98         -6.26
2   14     -12.26        14.44         2.78         -8.57
3   15       ∞           0.00         0.00          0.00
4   21      26.86         7.40         2.75         -2.10
5   24     -72.60         2.58        -0.13         -1.58
6   26      30.59         5.01         3.09         -0.11
7   30     -92.63         6.66        -6.43        -11.39
単レンズデータ
レンズ  始面  焦点距離
1       1   -115.67
2       2    548.44
3       3    100.37
4       5     88.72
5       7    -21.17
6       9    -21.16
7      11     17.59
8      13    -24.78
9      16    -25.69
10      17     21.70
11      19     22.07
12      20    -72.60
13      22     30.56
14      23    -21.85
15      25     30.59
16      27     51.41
17      28    131.29
18      29    -29.24
【００９０】
【表２】
0005743771.tif 000004
【符号の説明】
【００９１】
Ｌ１  第１レンズ群    Ｌ２  第２レンズ群    Ｌ３  第３レンズ群
Ｌ４  第４レンズ群    Ｌ５  第５レンズ群    Ｌ６  第６レンズ群
ＬＭ  中間群    ＬＬ  最終レンズ群    ＬＣ  合成レンズ群
【図１】
0005743771.tif 000005
【図２】
0005743771.tif 000006
【図３】
0005743771.tif 000007
【図４】
0005743771.tif 000008
【図５】
0005743771.tif 000009
【図６】
0005743771.tif 000010
【図７】
0005743771.tif 000011
【図８】
0005743771.tif 000012
【図９】
0005743771.tif 000013
【図１０】
0005743771.tif 000014
【図１１】
0005743771.tif 000015
【図１２】
0005743771.tif 000016
【図１３】
0005743771.tif 000017